(57)【要約】【課題】インターホン子機に入来する騒音をインターホン親機から出力させないようにして、インターホン親機操作者が、耳障りな騒音によって不快になることを防止できるインターホン装置を提供する。【解決手段】インターホン子機１で撮像した映像をインターホン親機２でモニタするモニタ機能と、インターホン子機１とインターホン親機２との間の双方向通話機能とを有したインターホン装置において、インターホン子機１の音声入力装置１４に入力された音声の音量が所定の音量を超えたときに、インターホン親機２の音声出力装置２４の音声出力をミュートさせる音声制御回路２５を設ける。【選択図】      図１
2004201186.tif 000002
【特許請求の範囲】
【請求項１】
インターホン子機に設けられた撮像手段で撮像された映像を、インターホン親機に設けられた映像表示手段でモニタするとともに、前記インターホン子機とインターホン親機との間で双方向に通話を行うことのできるインターホン装置において、
前記インターホン子機に入力された音声の音量が所定の音量を超えたときに、前記インターホン親機の音声出力をミュートさせる音声制御回路を設けたことを特徴とするインターホン装置。
【請求項２】
インターホン子機とインターホン親機とそれらを接続する音声伝送路とから成り、前記インターホン子機は、被写体を撮像する撮像手段と、該撮像手段からの撮像信号を映像信号に変換して送信する映像信号送信手段と、入力された音声を第１の音声信号に変換する子機音声入力装置と、前記第１の音声信号をインターホン親機へ送信するとともにインターホン親機からの第２の音声信号を受信する子機音声回路と、前記第２の音声信号を音声に変換して出力する子機音声出力装置とを備え、前記インターホン親機は、前記映像信号を受信して表示する映像表示手段と、入力された音声を前記第２の音声信号に変換する親機音声入力装置と、前記第２の音声信号をインターホン子機へ送信するとともにインターホン子機からの前記第１の音声信号を受信する親機音声回路と、前記第１の音声信号を音声に変換して出力する親機音声出力装置とを備えているインターホン装置において、
前記子機音声入力装置に入力された音声の音量が所定の音量を超えたときに、前記親機音声出力装置の音声出力をミュートさせる音声制御回路を設けたことを特徴とするインターホン装置。
【請求項３】
前記音声制御回路を前記親機音声回路と前記親機音声出力装置との間の前記第１の音声信号が伝送される伝送経路中に設けたことを特徴とする請求項２に記載のインターホン装置。
【請求項４】
前記音声制御回路を前記子機音声回路と前記子機音声入力装置との間の前記第１の音声信号が伝送される伝送経路中に設けたことを特徴とする請求項２に記載のインターホン装置。
【発明の詳細な説明】
【０００１】
【発明の属する技術分野】
本発明は、インターホン子機に設けられたテレビカメラ等で撮像された映像をインターホン親機でモニタしながら、インターホン子機とインターホン親機との間で双方向に通話をすることができるインターホン装置に関するものであり、特に、インターホン子機に入力された音声の音量に応じてインターホン親機の音声出力を制御するインターホン装置に関するものである。
【０００２】
【従来の技術】
従来のモニタ機能の付いたインターホン装置において、風雨にさらされる屋外に設置されることの多いインターホン子機の音声入力装置には、インターホン親機に伝えられるべき音声情報である来訪者等のインターホン子機操作者の音声以外に、風雨等による騒音（風圧音、雨の衝撃音等の騒音）が入力されることがある。このような騒音の音量が大きい場合、インターホン親機の出力音声を聞いている家人等のインターホン親機操作者は、前記騒音によってインターホン子機操作者の発する音声が聞こえず、聞いても意味がなく耳障りな前記騒音だけが聞こえるので不快になることがあった。
【０００３】
従来のインターホン装置に応用されたマイク音声増幅回路は、マイクに過渡的な大きい音量の音声が入来した場合、その音声の音声信号の振幅を抑制するリミッタ回路を設けることにより、このマイク音声増幅回路が応用されたインターホン装置の通話品質を維持している（例えば、特許文献１参照）。また、テレビ受像器を用いたインターホン装置において、インターホン装置で通話している間はインターホンモニタのためのテレビ受像器の音声を小さく制御するようにしたものもある（例えば、特許文献２参照）。
【０００４】
【特許文献１】
特開平５−２２０６２号公報  （第３−５頁、第１図）
【特許文献２】
特開平１−２６８３４０号公報  （第１−３頁、第１図）
【０００５】
【発明が解決しようとする課題】
しかしながら、特許文献１に記載の従来技術によれば、インターホン親機から出力されるインターホン子機に入力された過渡的な騒音を低減することはできるが、インターホン子機操作者の音声が聞こえなくなるような騒音がインターホン子機の音声入力装置に常時入力されている場合は、前記騒音がインターホン親機にそのまま伝えられ、インターホン親機の出力音声を聞いているインターホン親機操作者は、前記騒音によってインターホン子機操作者の音声が聞こえず、聞いても意味がなく耳障りな前記騒音だけが聞こえるので不快になることがあるという問題があった。
【０００６】
また、特許文献２に記載の従来技術によれば、インターホンモニタするためのテレビ受像器から出力される騒音は小さくすることができるが、インターホン子機からインターホン親機に伝えられる騒音はそのまま伝えられ、この騒音がインターホン子機操作者の音声が聞こえなくなるような騒音である場合は、インターホン親機の出力音声を聞いているインターホン親機操作者は、前記騒音によってインターホン子機操作者の音声が聞こえず、聞いても意味がなく耳障りな前記騒音だけが聞こえるので不快になることがあるという問題があった。
【０００７】
本発明は、上記の点に鑑み、インターホン子機操作者の音声が聞こえなくなるような騒音がインターホン子機の音声入力装置に入力された場合に、インターホン子機で撮像された映像だけをインターホン親機に伝え、出力しても意味がなく、単なる騒音でしかないインターホン親機からの音声出力を出力しないようにして、インターホン親機の音声出力を聞いているインターホン親機操作者が耳障りな騒音によって不快になることを防止できるインターホン装置を提供することを目的とする。
【０００８】
【課題を解決するための手段】
上記目的を達成するために本発明は、インターホン子機で撮像した映像をインターホン親機でモニタするモニタ機能と、前記インターホン子機とインターホン親機との間の双方向通話機能とを有したインターホン装置において、前記インターホン子機の音声入力装置に入力された音声の音量が所定の音量を超えたときに、前記インターホン親機の音声出力装置の音声出力をミュートさせる音声制御回路を設けたものである。
【０００９】
この発明のインターホン装置によれば、インターホン子機の音声入力装置に入来する音声の音量が所定の音量より大きいときは、インターホン親機の音声出力装置から出力される音声をミュートさせることができる。これにより、屋外に設置されることの多いインターホン子機の音声入力装置に、来訪者等のインターホン子機操作者の発する音声が聞こえなくなるような騒音が入来しても、この騒音がインターホン親機の音声出力装置から出力されないようにすることができ、インターホン親機の音声出力装置の出力音声を聞いている家人等のインターホン親機操作者が、前記インターホン子機操作者の発する音声が聞こえず、聞いても意味のない耳障りな騒音だけが聞こえ、不快になることを防止することができる。
【００１０】
また、上述のようにインターホン親機の出力音声がミュートされた場合であっても、インターホン子機で撮像した映像をインターホン親機でモニタするモニタ機能により、インターホン親機で来訪者等を確認しようする家人等のインターホン親機操作者は、インターホン親機に設けられたテレビモニタ等でインターホン子機の付近にいる来訪者等のインターホン子機操作者をモニタすることができるので、来訪者等のインターホン子機操作者を確認することができる。
【００１１】
また、上述のようにインターホン親機の出力音声がミュートされた場合であっても、インターホン親機の音声入力装置に入力された音声はインターホン子機の音声出力装置から出力されるので、来訪者等のインターホン子機操作者を認識した家人等のインターホン親機操作者は、インターホン子機操作者に音声による適当な応答を与えることができる。
【００１２】
また、例えば、撮像手段、映像信号送信手段、子機音声入力装置、子機音声回路、および子機音声出力装置を備えたインターホン子機と、映像表示手段、親機音声入力装置、親機音声回路、および親機音声出力装置を備えたインターホン親機と、前記インターホン子機とインターホン親機を接続する音声伝送路とから成り、前記撮像手段で撮像された映像を前記映像信号送信手段によって映像信号に変換して送信し、前記映像表示手段で受信して表示するとともに、前記インターホン子機に入力された音声を前記子機音声入力装置で第１の音声信号に変換し、前記子機音声回路、音声伝送路、親機音声回路を介して前記親機音声出力装置に伝送し、前記親機音声出力回路で音声に変換して出力し、前記インターホン親機に入力された音声を前記親機音声入力装置で第２の音声信号に変換し、前記親機音声回路、音声伝送路、子機音声回路を介して前記子機音声出力装置に伝送し、前記子機音声出力装置で音声に変換して出力するインターホン装置において、前記親機音声回路と前記親機音声出力装置との間、または前記子機音声回路と前記子機音声入力装置との間の前記第１の音声信号が伝送される伝送経路中に、前記子機音声入力装置に入力された音声の音量が所定の音量を超えたときに、前記親機音声出力装置の出力をミュートさせる音声制御回路を設けると良い。
【００１３】
このようにすると、前記親機音声回路と前記親機音声出力装置との間、または前記子機音声回路と前記子機音声入力装置との間の音声信号伝送経路は、前記第１の音声信号のみが伝送される伝送経路であるので、これらの伝送経路中に前記音声制御回路を設けると、前記第１の音声信号に含まれる音量情報から子機音声入力装置に入力された音声の音量が前記所定の音量を超えるかどうかの判断が、インターホン子機とインターホン親機の間を伝送される前記映像信号および前記第１、第２の音声信号の混在した信号から前記第１の音声信号のみを分離する回路等を新たに設けることなく容易に行え、本発明に係るインターホン装置の構成を簡単にすることができる。
【００１４】
尚、前記子機音声入力装置に入力された音声の音量と比較される前記所定の音量は、ユーザ等のインターホン装置の操作者によって所望の音量に設定可能にすることが好ましい。
【００１５】
【発明の実施の形態】
以下、本発明の実施形態を図面を参照して説明する。図１は本発明の第１の実施形態に係るインターホン装置の電気的構成を示すブロック図である。
【００１６】
図１において、１はインターホン子機を示し、２はインターホン親機を示す。インターホン子機１とインターホン親機２とは共通配線３（音声伝送路）で接続されている。インターホン子機１は、固体撮像素子（例えば、ＣＣＤ、ＭＯＳ型撮像素子）を有し、来訪者等の被写体を撮像する撮像手段１１と、撮像手段１１からの撮像信号（サンプリングされた状態の映像信号）を映像信号に変換する映像信号変換回路１２（映像信号送信手段）と、映像信号変換回路１２からの映像信号をＦＭ変調し、変調された映像信号を共通配線３を介してインターホン親機２に送信する変調回路１３（映像信号送信手段）とを備えている。
【００１７】
また、インターホン子機１は、入力された音声をベースバンド信号である音声信号Ｓ１に変換する子機音声入力装置１４と、共通配線３に接続されたハイブリッドトランス（図示せず）を含むハイブリッド回路（図示せず）を有し、この音声信号Ｓ１を共通配線３を介してインターホン親機２に伝送するとともに、インターホン親機２から共通配線３を介して伝送された音声信号Ｓ２を得る子機音声回路１６と、この音声信号Ｓ２を音声に変換して出力する子機音声出力装置１５とを備えている。
【００１８】
インターホン親機２は、共通配線３に接続され、変調回路１３からのＦＭ変調された映像信号を受信してベースバンドの映像信号にＦＭ復調する復調回路２２（映像表示手段）と、液晶ディスプレイ、平板型ＣＲＴディスプレイ等で構成され、復調回路２２からの映像信号を表示するテレビモニタ２１（映像表示手段）とを備えている。
【００１９】
また、インターホン親機２は、入力された音声をベースバンド信号である音声信号Ｓ２に変換する親機音声入力装置２３と、共通配線３に接続されたハイブリッドトランス（図示せず）を含むハイブリッド回路（図示せず）を有し、この音声信号Ｓ２を共通配線３を介してインターホン子機１に伝送するとともに、インターホン子機１から共通配線３を介して伝送された音声信号Ｓ１を得る親機音声回路２６と、親機音声回路２６からの音声信号Ｓ１に含まれる音量情報から得た子機音声入力装置１４に入力された音声の音量と所定の音量とを比較し、子機音声入力装置１４に入力された音声の音量が所定の音量より大きい場合に音声信号Ｓ１を出力しないように制御する音声制御回路２５と、音声制御回路２５からの音声信号Ｓ１を音声に変換して出力する親機音声出力装置２４とを備えている。
【００２０】
次に、以上説明した構成のインターホン装置のモニタ動作について説明する。先ず、インターホン子機１に備えられたＣＣＤ等の撮像素子を有したテレビカメラ等の撮像手段１１で撮像された映像が、撮像手段１１により撮像信号に変換されて映像信号変換回路１２に与えられ、映像信号変換回路１２はこの撮像信号をベースバンドの映像信号に変換して変調回路１３に与える。そして、変調回路１３は、このベースバンドの映像信号をＦＭ変調し、共通配線３を介してインターホン親機２の復調回路２２に送信する。
【００２１】
次に、復調回路２２は、送信されたＦＭ変調された映像信号を受信してＦＭ復調し、ベースバンドの映像信号を得る。そして、このベースバンドの映像信号をテレビモニタ２１に与え、テレビモニタ２１はこのベースバンドの映像信号を表示する。
【００２２】
このようにして、来訪者等のインターホン子機１の操作者を含む撮像手段１１で撮像された映像が、テレビモニタ２１に表示されるので、例えば、屋内に設置されたインターホン親機２の設置場所からは屋外に設置されたインターホン子機１の設置場所を直視できない場合であっても、家人等のインターホン親機２の操作者は、来訪者等のインターホン子機１の操作者の姿をテレビモニタ２１に表示される映像で確認することができる。
【００２３】
次に、以上説明した構成のインターホン装置の通話動作について説明する。
先ず、インターホン子機１の子機音声入力装置１４に入力された音声は、ベースバンドの音声信号Ｓ１に変換され、子機音声回路１６に伝送される。そして、この音声信号Ｓ１は子機音声回路１６内のハイブリッド回路（図示せず）に導かれ、さらにこのハイブリッド回路内のハイブリッドトランス（図示せず）に接続された共通配線３を介してインターホン親機２の親機音声回路２６に伝送される。
【００２４】
親機音声回路２６は共通配線３に接続された親機音声回路２６内のハイブリッドトランス（図示せず）を含むハイブリッド回路（図示せず）から音声信号Ｓ１を得る。そして、この音声信号Ｓ１は親機音声回路２６から音声制御回路２５を介して親機音声出力装置２４に伝送され、音声出力装置２４によって音声に変換されて出力される。尚、音声制御回路２５の動作は後述する。
【００２５】
また、インターホン親機２の親機音声入力装置２３に入力された音声は、ベースバンドの音声信号Ｓ２に変換され、親機音声回路２６に伝送される。そして、この音声信号Ｓ２は親機音声回路２６内のハイブリッド回路（図示せず）に導かれ、さらにこのハイブリッド回路内のハイブリッドトランス（図示せず）に接続された共通配線３を介してインターホン子機１の子機音声回路１６に伝送される。
【００２６】
子機音声回路１６は共通配線３に接続された子機音声回路１６内のハイブリッドトランス（図示せず）を含むハイブリッド回路（図示せず）から音声信号Ｓ２を得る。そして、この音声信号Ｓ２は子機音声回路１６から子機音声出力装置１５に伝送され、音声出力装置１５によって音声に変換されて出力される。
【００２７】
このようにして、インターホン子機１の子機音声入力装置１４に入力された音声に応じた音声がインターホン親機２の親機音声出力装置２４から出力され、インターホン親機２の親機音声入力装置２３に入力された音声に応じた音声がインターホン子機１の子機音声出力装置１５から出力されるので、例えば、屋内に設置されたインターホン親機２の設置場所と屋外に設置されたインターホン子機１の設置場所との間では直接の会話ができない場合であっても、家人等のインターホン親機２の操作者と来訪者等のインターホン子機１の操作者とが双方向の通話をすることができる。
【００２８】
尚、このように音声信号としてベースバンド信号を使用する場合には、子機音声回路１６および親機音声回路２６に配設されたハイブリッドトランス（図示せず）を含むハイブリッド回路（図示せず）のバランスによりインターホン子機１とインターホン親機２との間の同時送受話が可能になっている。
【００２９】
次に、音声制御回路２５の動作を説明する。音声制御回路２５は、親機音声回路２６からの音声信号Ｓ１が入力されると、この音声信号Ｓ１に含まれる音量情報に基づいて、子機音声入力装置１４に入力された音声の音量が予め定められた所定の音量を超えているかどうかを判断する。そして、子機音声入力装置１４に入力された音声の音量が前記所定の音量を超えていると判断した場合は、音声信号Ｓ１を出力しないようにする出力ミュートを行う。
【００３０】
例えば、音声制御回路２５の出力経路を遮断するスイッチを設け、前記出力ミュートを行うときは、このスイッチを開放することにより音声制御回路２５の出力が出ないようにすることができる。または、音声制御回路２５の出力とグランド間にスイッチを設け、前記出力ミュートを行うときは、このスイッチを閉成することにより音声制御回路２５の出力をグランドレベルに固定するようにしても出力ミュートを行うことができる。
【００３１】
一方、音声制御回路２５は、子機音声入力装置１４に入力された音声の音量が前記所定の音量より小さいと判断した場合は、音声信号Ｓ１をそのまま出力する。
【００３２】
従って、音声制御回路２５の出力が与えられる親機音声出力装置２４は、子機音声入力装置１４に入力された音声の音量が所定の音量を超えている場合は、音声出力がミュートされる、即ち、音声が出力されない。そして、子機音声入力装置１４に入力された音声の音量が所定の音量より小さい場合は、親機音声出力装置２４から音声信号Ｓ１、即ち、子機音声入力装置１４に入力された音声に応じた音声が出力される。
【００３３】
例えば、音声制御回路２５に、親機音声出力装置２４の音声出力をミュートさせる基準音量が−５ｄＢｍと設定されている場合、音声制御回路２５が音声信号Ｓ１に含まれる音量情報から子機音声入力装置１４に入力された音声の音量が−１０ｄＢｍであると判断したときは、親機音声出力装置２４に音声信号Ｓ１をそのまま与えるので、親機音声出力装置２４は子機音声入力装置１４に入力された音声に応じた音声を出力する。また、音声制御回路２５が音声信号Ｓ１に含まれる音量情報から子機音声入力装置１４に入力された音声の音量が−１ｄＢｍであると判断したときは、親機音声出力装置２４に音声信号Ｓ１を与えないので、親機音声出力装置２４の音声出力はミュートされる。
【００３４】
以上説明した第１の実施形態によれば、インターホン子機１に入来する音声の音量が所定の音量より大きいときは、インターホン親機２から出力される音声をミュートさせることができる。これにより、例えば屋外に設置されたインターホン子機１の音声入力装置１４に、来訪者等のインターホン子機１の操作者の発する音声が聞こえなくなるような騒音が入来しても、この騒音がインターホン親機２の音声出力装置２４から出力されないようにすることができ、インターホン親機２の音声出力装置２４の出力音声を聞いている家人等のインターホン親機２の操作者が、前記インターホン子機１の操作者の発する音声が聞こえず、聞いても意味のない耳障りな騒音だけが聞こえ、不快になることを防止することができる。
【００３５】
また、インターホン子機１の音声入力装置１４に、来訪者等のインターホン子機１の操作者の発する音声が聞こえなくなるような騒音が入来し、インターホン親機２の出力音声がミュートされた場合であっても、インターホン親機２で来訪者等を確認しようする家人等のインターホン親機２の操作者は、インターホン親機２に設けられたテレビモニタ２１でインターホン子機１の付近にいる来訪者等のインターホン子機１の操作者をモニタすることができるので、来訪者等のインターホン子機１の操作者を確認することができる。
【００３６】
また、上述のようにインターホン親機２の出力音声がミュートされた場合であっても、インターホン親機２の音声入力装置２３に入力された音声はインターホン子機１の音声出力装置１５から出力されるので、来訪者等のインターホン子機１の操作者を認識した家人等のインターホン親機２の操作者は、インターホン子機１の操作者に音声による適当な応答を与えることができる。
【００３７】
また、音声制御回路２５を、親機音声回路２６と親機音声出力装置２４との間の音声信号Ｓ１のみが伝送される伝送経路中に設けたので、音声信号Ｓ１に含まれる音量情報から子機音声入力装置１４に入力された音声の音量が所定の音量を超えるかどうかの判断が、インターホン子機１とインターホン親機２の間を伝送される映像信号、音声信号Ｓ１、Ｓ２の混在した信号から音声信号Ｓ１のみを分離する回路等を新たに設けることなく容易に行え、本実施形態のインターホン装置の構成を簡単にすることができる。
【００３８】
図２は本発明の第２の実施形態に係るインターホン装置の電気的構成を示すブロック図である。図１と同一の部分については同一の符号を付し、説明を省略する。図２に示すインターホン装置において、図１に示すインターホン装置と相違する点は、子機音声入力装置１４と子機音声回路１６との間の音声信号Ｓ１が伝送される伝送経路中に音声制御回路２５が設けられている点である。図２に示すインターホン装置の動作については図１に示すインターホン装置と殆ど同じであり、異なる点は音声制御回路２５の設けられている箇所の違いだけであるので、以下に図２に示すインターホン装置における音声制御回路２５の動作のみを説明する。
【００３９】
子機音声入力装置１４からの音声信号Ｓ１は音声制御回路２５を介して子機音声回路１６に伝送される。このとき、音声制御回路２５は子機音声入力装置１４からの音声信号Ｓ１が入力されると、この音声信号Ｓ１に含まれる音量情報に基づいて、子機音声入力装置１４に入力された音声の音量が所定の音量を超えているかどうかを判断する。そして、子機音声入力装置１４に入力された音声の音量が所定の音量を超えていると判断した場合は、音声信号Ｓ１を出力しないようにする出力ミュートを行う。一方、子機音声入力装置１４に入力された音声の音量が前記所定の音量より小さいと判断した場合は、音声制御回路２５は音声信号Ｓ１をそのまま出力する。
【００４０】
従って、子機音声入力装置１４に入力された音声の音量が所定の音量を超えている場合は、音声制御回路２５の出力が子機音声回路１６、共通配線３、親機音声回路２６を介して親機音声出力装置２４に与えられないので、親機音声出力装置２４は音声出力がミュートされる、即ち、音声が出力されない。そして、子機音声入力装置１４に入力された音声の音量が所定の音量より小さい場合は、音声制御回路２５からの音声信号Ｓ１が子機音声回路１６、共通配線３、親機音声回路２６を介して親機音声出力装置２４に与えられ、音声信号Ｓ１、即ち、子機音声入力装置１４に入力された音声に応じた音声が出力される。
【００４１】
以上説明した第２の実施形態によれば、子機音声回路１６と子機音声入力装置１４との間の音声信号Ｓ１の伝送経路中に音声制御回路２５を設けることにより、インターホン子機１の操作者の音声が聞こえなくなるような騒音がインターホン子機１の音声入力装置１４に入力された場合は、出力しても意味がなく、単なる騒音でしかないインターホン親機２の音声出力を出力しないようにして、インターホン親機２の音声出力を聞いているインターホン親機２の操作者が耳障りな騒音によって不快になることを防止できる。
【００４２】
また、音声制御回路２５を、子機音声回路１６と子機音声入力装置１４との間の音声信号Ｓ１のみが伝送される伝送経路中に設けたので、音声信号Ｓ１に含まれる音量情報から子機音声入力装置１４に入力された音声の音量が所定の音量を超えるかどうかの判断が、インターホン子機１とインターホン親機２の間を伝送される映像信号、音声信号Ｓ１、Ｓ２の混在した信号から音声信号Ｓ１のみを分離する回路等を新たに設けることなく容易に行え、本実施形態のインターホン装置の構成を簡単にすることができる。
【００４３】
尚、音声制御回路２５において、子機音声入力装置１４に入力された音声の音量と比較される所定の音量は、インターホン装置のユーザによって所望の音量に設定可能としても良い。このようにすると、ユーザの希望の騒音レベルでインターホン子機に入来する騒音がインターホン親機から出力されることを防止できる。
【００４４】
【発明の効果】
以上のように本発明のインターホン装置によれば、インターホン子機操作者の音声が聞こえなくなるような騒音がインターホン子機の音声入力装置に入力された場合に、インターホン子機で撮像された映像だけをインターホン親機に伝え、出力しても意味がなく、単なる騒音でしかないインターホン親機からの音声出力を出力しないようにして、インターホン親機の音声出力を聞いているインターホン親機操作者が耳障りな騒音によって不快になることを防止できる。
【図面の簡単な説明】
【図１】は、本発明の第１の実施形態に係るインターホン装置の電気的構成を示すブロック図である。
【図２】は、本発明の第２の実施形態に係るインターホン装置の電気的構成を示すブロック図である。
【符号の説明】
１    インターホン子機
２    インターホン親機
３    共通配線（音声伝送路）
１１    撮像手段
１２    映像信号変換回路（映像信号送信手段）
１３    変調回路（映像信号送信手段）
１４    子機音声入力装置
１５    子機音声出力装置
１６    子機音声回路
２１    テレビモニタ（映像表示手段）
２２    復調回路（映像表示手段）
２３    親機音声入力装置
２４    親機音声出力装置
２５    音声制御回路
２６    親機音声回路
Ｓ１，Ｓ２    音声信号
【図１】
2004201186.tif 000003
【図２】
2004201186.tif 000004